(57)【特許請求の範囲】
【請求項１】
各地の地図や道路名等を記憶する地図情報記憶部と、
ＶＩＣＳ情報を受信するＶＩＣＳ受信部と、
前記地図情報記憶部から読み出された地図及び前記ＶＩＣＳ受信部で受信したＶＩＣＳ情報を表示する表示部と、
所望地点の位置情報を登録する所望地点登録手段と、
車両の進路を案内する地図が前記表示部に表示された誘導モードにおいて前記表示部の画面の一部にタッチパネルで形成された所望地点表示用操作部とを具備し、
前記誘導モードにおいて前記所望地点表示用操作部が操作されたとき、前記所望地点登録手段で登録された所望地点の位置情報に基いて登録された所望地点附近の地図を前記地図情報記憶部から読み出して前記表示部に表示すると共に、前記ＶＩＣＳ受信部で受信したＶＩＣＳ情報を前記表示部に表示する
ことを特徴とするナビゲーション装置。
【請求項２】
各地の地図や道路名等を記憶する地図情報記憶部と、
ＶＩＣＳ情報を受信するＶＩＣＳ受信部と、
前記地図情報記憶部から読み出された地図及び前記ＶＩＣＳ受信部で受信したＶＩＣＳ情報を表示する表示部と、
所望地点の位置情報を登録する所望地点登録手段と、
装置を操作するリモコンに設けられた所望地点表示用キーとを具備し、
車両の進路を案内する地図が前記表示部に表示された誘導モードにおいて前記所望地点表示用キーが操作されたとき、前記所望地点登録手段で登録された所望地点の位置情報に基いて登録された所望地点附近の地図を前記地図情報記憶部から読み出して前記表示部に表示すると共に、前記ＶＩＣＳ受信部で受信したＶＩＣＳ情報を前記表示部に表示する
ことを特徴とするナビゲーション装置。
【発明の詳細な説明】
【０００１】
【発明の属する技術分野】
本発明は、車両に搭載されて車両の進路を目的地まで案内するナビゲーション装置に係り、特に表示部に所望地点の地図を手動操作で表示させる方法に関する。
【０００２】
【従来の技術】
利便性や低価格化により、最近、ナビゲーション装置が多くの車両に搭載されている。このナビゲーション装置は、ＧＰＳ受信機やジャイロスコープ等で車両の現在位置を測定して、車両の現在位置マークと、現在位置の周辺の地図を表示部の画面上に表示して、車両の進路を目的地まで案内する。
【０００３】
このようなナビゲーション装置において、地図はＣＤ−ＲＯＭやＤＶＤ−ＲＯＭ等に記憶されており、通常は車両の走行に伴い現在位置の周辺の地図が次々読み出されて表示部に表示されるが、このような車両の動きに応じた地図表示の外に手動操作で経由地点や目的地などの所望地点附近の地図を表示部に表示させたいときがあり、その場合、従来は図４および図５に示すようにスクロールまたは登録地点リストからの選択により所望地点附近の地図を表示部に表示させている。
【０００４】
図４（ａ）、（ｂ）はスクロールで所望地点附近の地図を表示部に表示させる場合で、図４（ａ）に示すように表示部１１の画面がタッチパネルとなっている場合は、画面の上端中央、下端中央、左端中央または右端中央のスクロール操作部に指を触れて地図を上方向、下方向、左方向または右方向に所望地点までスクロールさせることにより所望地点附近の地図を表示部１１に表示させる。図４（ｂ）はリモコン１２でスクロールさせる場合で、リモコン１２の４方向キー１２ａを操作することにより表示部１１の画面の地図を上方向、下方向、左方向または右方向に所望地点までスクロールさせ、所望地点附近の地図を表示部１１に表示させる。
【０００５】
図５（ａ），（ｂ）は登録地点リストからの選択により所望地点附近の地図を表示部に表示させる場合で、予め登録した図５（ａ）に示す登録地点リストを表示部の画面に読み出した後、所望地点の目印、あるいは所望地点の名称に図５（ｂ）のリモコン１２を使用してカーソル（■）を合わせることにより所望地点を選択し、所望地点の地図を表示部に表示させる。
【０００６】
【発明が解決しようとする課題】
しかしながら、地図を所望地点附近までスクロールする方法では、地図スクロール中は地図を注視する必要があり、また、操作が煩雑となる。また、登録地点リストから選択する方法についても、操作が煩雑である。
【０００７】
本発明は上記の点に鑑みなされたもので、ワンタッチで所望地点附近の地図を表示部に表示させることができ、操作が簡単となるナビゲーション装置を提供することを目的とする。
【０００８】
【課題を解決するための手段】
本発明の第１のナビゲーション装置は、各地の地図や道路名等を記憶する地図情報記憶部と、ＶＩＣＳ情報を受信するＶＩＣＳ受信部と、前記地図情報記憶部から読み出された地図及び前記ＶＩＣＳ受信部で受信したＶＩＣＳ情報を表示する表示部と、
所望地点の位置情報を登録する所望地点登録手段と、車両の進路を案内する地図が前記表示部に表示された誘導モードにおいて前記表示部の画面の一部にタッチパネルで形成された所望地点表示用操作部とを具備し、前記誘導モードにおいて前記所望地点表示用操作部が操作されたとき、前記所望地点登録手段で登録された所望地点の位置情報に基いて登録された所望地点附近の地図を前記地図情報記憶部から読み出して前記表示部に表示すると共に、前記ＶＩＣＳ受信部で受信したＶＩＣＳ情報を前記表示部に表示することを特徴とする。
【０００９】
本発明の第２のナビゲーション装置は、各地の地図や道路名等を記憶する地図情報記憶部と、ＶＩＣＳ情報を受信するＶＩＣＳ受信部と、前記地図情報記憶部から読み出された地図及び前記ＶＩＣＳ受信部で受信したＶＩＣＳ情報を表示する表示部と、所望地点の位置情報を登録する所望地点登録手段と、装置を操作するリモコンに設けられた所望地点表示用キーとを具備し、車両の進路を案内する地図が前記表示部に表示された誘導モードにおいて前記所望地点表示用キーが操作されたとき、前記所望地点登録手段で登録された所望地点の位置情報に基いて登録された所望地点附近の地図を前記地図情報記憶部から読み出して前記表示部に表示すると共に、前記ＶＩＣＳ受信部で受信したＶＩＣＳ情報を前記表示部に表示することを特徴とする。
【００１１】
【発明の実施の形態】
次に添付図面を参照して本発明によるナビゲーション装置の実施の形態を詳細に説明する。図２は本発明のナビゲーション装置の実施の形態を示すブロック図である。このナビゲーション装置は、測定部２１と、制御部２２と、操作部２３と、表示部２４と、地図情報記憶部２５と、ＶＩＣＳ受信部２６と、リモコン２７と、リモコン受信部２８とからなり、図示しない車両に搭載される。
【００１２】
測定部２１はＧＰＳ受信機やジャイロスコープ等を有して、このナビゲーション装置が搭載された車両の現在位置を例えば１秒に１回ずつ繰り返し測定する。制御部２２はＣＰＵなどからなり、このナビゲーション装置全体を制御する。操作部２３は、表示部２４の画面に設けられたタッチパネルと表示部２４の周囲の筐体表面に設けられた機械的なキーからなり、このナビゲーション装置の動作モードや、車両の出発地、目的地など各種の情報を入力する。リモコン２７は、操作部２３に代えて手元操作でナビゲーション装置の動作モード等を入力する。リモコン２７からは例えば赤外線で信号が送出され、この信号はリモコン受信部２８で受信されて制御部２２に供給される。
【００１３】
地図情報記憶部２５はＣＤ−ＲＯＭやＤＶＤ−ＲＯＭを有し、各地の地図や道路名等を記憶する。表示部２４はカラーＬＣＤ表示器からなり、メニューや５０音入力画面、あるいは地図情報記憶部２５から読出された地図等、各種の情報を表示する。ＶＩＣＳ受信部２６は、例えば表示部２４に表示された地図の上にＶＩＣＳ情報を重ねて表示するためにＦＭ多重放送等のＶＩＣＳ情報を受信する。
【００１４】
以上のナビゲーション装置では、上記のように表示部２４の画面が操作部２３としてタッチパネルとなっているが、このタッチパネルの一部は図１に示すように所望地点表示用操作部２３ａとなっている。そして、所望地点登録モードで予め所望地点を登録した後、誘導モードにおいて所望地点表示用操作部２３ａを操作すると（所望地点表示用操作部２３ａに指を触れると）、制御部２２内のメモリに登録された所望地点に基いて登録された所望地点附近の地図が地図情報記憶部２５から読み出されて表示部２４に所望地点が画面の中央となるように表示される。
ここで、表示範囲としては、所望地点を中心に予め定められた縮尺地図について、表示部２４に表示可能な範囲とする。
【００１５】
このように、上記のナビゲーション装置においては、表示部２４のタッチパネルの所望地点表示用操作部２３ａに指を触れるだけでワンタッチで所望地点附近の地図を表示部２４に表示できる。したがって、操作を行って所望地点附近の地図を表示部２４に表示させることができる。このため、例えば、よく渋滞する場所を所望地点として登録しておけば、ワンタッチでその場所附近の地図を表示部２４に表示させ、同時にＶＩＣＳ受信部２６で受信したＶＩＣＳ情報をその地図に重ねて所望地点附近の渋滞情報を見ることができ、運転に非常に便利になる。
【００１６】
なお、所望地点は、所望地点登録モードにおいて例えば表示部２４に５０音入力画面を表示させた後、この５０音入力画面で「ひらがな」を１字ずつ拾って地名を入力することにより登録することができる。この場合、所望地点は入力する地名を町名、番地まで詳細に地名を入力すればするほど、所望地点の範囲が狭められて、表示地図がより詳細となる。また、表示部２４に表示された地図中の所定位置に△、○などの目印を付すことにより所望地点を登録することができる。この場合、所望地点は直接に一意に指定されることになる。さらに、所望地点は、その他の種々の方法により登録することができる。このようにして登録された所望地点の情報は制御部２２内のメモリに記憶される。所望地点の登録は登録の再設定により変更することもできる。
【００１７】
図３は本発明の他の実施の形態を説明するための図で、リモコン２７を示す図である。この他の実施の形態ではリモコン２７に所望地点表示用キー２７ａが設けられる。そして、この所望地点表示用キー２７ａが操作されることにより、予め登録された所望地点附近の地図がワンタッチで地図情報記憶部２５から読み出されて表示部２４に表示される。
【００１８】
【発明の効果】
以上詳細に説明したように本発明のナビゲーション装置によれば、ワンタッチで所望地点附近の地図を表示部に表示させることができ、操作が簡単となる。
【図面の簡単な説明】
【図１】本発明の実施の形態における表示部の画面を示す正面図。
【図２】本発明によるナビゲーション装置の実施の形態を示すブロック図。
【図３】本発明の他の実施の形態を説明するための図で、リモコンを取出して示す正面図。
【図４】スクロールで所望地点の地図を表示部に表示させる従来技術を説明するための図。
【図５】登録地点リストからの選択により所望地点の地図を表示部に表示させる従来技術を説明するための図。
【符号の説明】
２２  制御部
２３  操作部
２３ａ  所望地点表示用操作部
２４  表示部
２５  地図情報記憶部
２７  リモコン
２７ａ  所望地点表示用キー
２８  リモコン受信部
【図１】
0003953729.tif 000002
【図２】
0003953729.tif 000003
【図３】
0003953729.tif 000004
【図４】
0003953729.tif 000005
【図５】
0003953729.tif 000006